(57)【要約】【課題】より利便性の良いナビゲーション装置を提供する。【解決手段】装置本体部２に現在位置と地図とを重ねて表示する表示部（表示パネル）３を備えるナビゲーション装置１において、表示部３の縁部に沿って配される操作部４と、操作部４が押下された押下時間を計時する計時部５と、計時部５により計時された押下時間が予め定められた時間に達しない場合に第１操作を選択し、計時部５により計時された押下時間が予め定められた時間に達した場合に第２操作を選択する操作選択手段８と、第１操作又は第２操作された場合に、表示部３に表示された地図を操作部４の設置位置に応じて予め定められた方向に移動させる地図移動手段８と、を備える。【選択図】図１
2009042102.tif 000002
【特許請求の範囲】
【請求項１】
装置本体部に現在位置と地図とを重ねて表示する表示部を備えるナビゲーション装置において、
前記表示部の縁部に沿って配される操作部と、
前記操作部が押下された押下時間を計時する計時部と、
前記計時部により計時された前記押下時間が予め定められた時間に達しない場合に第１操作を選択し、前記計時部により計時された前記押下時間が予め定められた時間に達した場合に第２操作を選択する操作選択手段と、
前記第１操作又は前記第２操作された場合に、前記表示部に表示された前記地図を前記操作部の設置位置に応じて予め定められた方向に移動させる地図移動手段と、
を備えることを特徴とするナビゲーション装置。
【請求項２】
前記表示部は四角形状であり、
前記操作部は前記表示部の各辺毎に配されており、
前記地図移動手段は、前記表示部に表示された前記地図を前記操作部と対向する辺と垂直な方向に移動させることを特徴とする請求項１に記載のナビゲーション装置。
【請求項３】
所定情報を記憶する記憶部と、
前記第１操作として前記地図移動手段を備えた場合に、前記第２操作として前記表示部に表示された前記地図とともに前記記憶部に記憶された前記所定情報を表示させ、
前記第２操作として前記地図移動手段を備えた場合に、前記第１操作として前記表示部に表示された前記地図とともに前記記憶部に記憶された前記所定情報を表示させる表示制御手段と、
をさらに備えることを特徴とする請求項１又は請求項２に記載のナビゲーション装置。
【請求項４】
前記所定情報はメニュー項目であることを特徴とする請求項３に記載のナビゲーション装置。
【請求項５】
前記操作部は前記表示部の辺の少なくとも１つに沿って長尺に形成され、
前記地図移動手段により前記表示部に表示された前記地図が移動する際に、前記操作部の押下位置によって、前記地図の移動速度を調節可能とする地図移動速度調節手段をさらに備えることを特徴とする請求項１から請求項４のいずれか一項に記載のナビゲーション装置。
【請求項６】
前記操作部は、前記装置本体部の表面に設けられたタクトスイッチであって、前記装置本体部の表面より窪んだ位置に配されていることを特徴とする請求項１から請求項５のいずれか一項に記載のナビゲーション装置。
【請求項７】
前記表示部の表面は、前記装置本体部の表面及び前記操作部の表面の少なくとも１つより窪んだ位置に配されていることを特徴とする請求項１から請求項６のいずれか一項に記載のナビゲーション装置。
【請求項８】
装置本体部に現在位置と地図とを重ねて表示する四角形状の表示部を備えるナビゲーション装置において、
前記表示部の辺に沿って各辺毎に配され、長尺に形成される操作部と、
前記操作部が押下された押下時間を計時する計時部と、
所定情報としてメニュー項目を記憶する記憶部と、
前記計時部により計時された前記押下時間が予め定められた時間に達しない場合に第１操作を選択し、前記計時部により計時された前記押下時間が予め定められた時間に達した場合に第２操作を選択する操作選択手段と、
前記第１操作又は前記第２操作された場合に、前記表示部に表示された前記地図を前記操作部と対向する辺と垂直な方向に移動させる地図移動手段と、
前記第１操作として前記地図移動手段を備えた場合に、前記第２操作として前記表示部に表示された前記地図とともに前記記憶部に記憶された前記所定情報を表示させ、前記第２操作として前記地図移動手段を備えた場合に、前記第１操作として前記表示部に表示された前記地図とともに前記記憶部に記憶された前記所定情報を表示させる表示制御手段と、
前記地図移動手段により前記表示部に表示された前記地図が移動する際に、前記操作部の押下位置によって、前記地図の移動速度を調節可能とする地図移動速度調節手段と、
を備え、
前記操作部は、前記装置本体部の表面に設けられたタクトスイッチであって、前記装置本体部の表面より窪んだ位置に配されているとともに、
前記表示部の表面は、前記装置本体部の表面及び前記操作部の表面の少なくとも１つより窪んだ位置に配されていることを特徴とするナビゲーション装置。
【発明の詳細な説明】
【技術分野】
【０００１】
本発明は、ナビゲーション装置に関する。
【背景技術】
【０００２】
従来、ＧＰＳ（Global Positioning System：全地球測位システム）を利用して現在位置を測位し、その測位した現在位置を地図データとともに表示画面上に表示するナビゲーション装置が知られている。
ナビゲーション装置は、ユーザが日常的に携帯して使用するなどのように、その利用場面が増加傾向にあり、このため、さらに複雑な機能を搭載したナビゲーション装置の開発が進んでいる。そして、こうした利用場面の増加に伴い、高機能を有しつつもより操作性が良好で、かつ、小型化された利便性の良いナビゲーション装置が望まれている。
このようなナビゲーション装置としては、例えば、表示画面の縁部にスクロールキーを設け、このスクロールキーをタッチ操作することにより表示された地図をスクロールさせて、その表示画面上に地図の所望の箇所を表示させる技術が開示されている（例えば、特許文献１参照。）。  
【特許文献１】特開２００６−９０８５０号公報
【発明の開示】
【発明が解決しようとする課題】
【０００３】
しかしながら、特許文献１に記載のナビゲーション装置においては、スクロールキーは単に表示された地図を移動させるためだけのものであるため、例えば、更なる機能を付加しようとした場合には、別途、操作ボタン等の操作部を設ける必要が生じる。このため、新たな機能の付加にともなって、ナビゲーション装置の操作部のデザインは複雑となり、操作性などの利便性を損なう場合があった。
また、新たな機能を付加する際に新たな操作ボタン等を付設することによって、ナビゲーション装置の操作部の占有面積が拡大し、装置全体が大型化してしまう場合があった。
【０００４】
本発明は、前記した点に鑑みてなされたものであり、ナビゲーション装置に、１つの操作スイッチにより、複数の操作を行うことのできる機能を付加することによって、操作部の構成を簡素にするとともにその利便性を向上させ、かつ、装置の小型化が可能なナビゲーション装置を提供することを目的とするものである。
【課題を解決するための手段】
【０００５】
前記目的を達成するために、請求項１に記載の発明は、
装置本体部に現在位置と地図とを重ねて表示する表示部を備えるナビゲーション装置において、
前記表示部の縁部に沿って配される操作部と、  
前記操作部が押下された押下時間を計時する計時部と、
前記計時部により計時された前記押下時間が予め定められた時間に達しない場合に第１操作を選択し、前記計時部により計時された前記押下時間が予め定められた時間に達した場合に第２操作を選択する操作選択手段と、
前記第１操作又は前記第２操作された場合に、前記表示部に表示された前記地図を前記操作部の設置位置に応じて予め定められた方向に移動させる地図移動手段と、
を備えることを特徴とする。
【０００６】
また、請求項２に記載の発明は、請求項１に記載のナビゲーション装置において、
前記表示部は四角形状であり、
前記操作部は前記表示部の各辺毎に配されており、
前記地図移動手段は、前記表示部に表示された前記地図を前記操作部と対向する辺と垂直な方向に移動させることを特徴とする。
【０００７】
また、請求項３に記載の発明は、請求項１又は請求項２に記載のナビゲーション装置において、
所定情報を記憶する記憶部と、
前記第１操作として前記地図移動手段を備えた場合に、前記第２操作として前記表示部に表示された前記地図とともに前記記憶部に記憶された前記所定情報を表示させ、
前記第２操作として前記地図移動手段を備えた場合に、前記第１操作として前記表示部に表示された前記地図とともに前記記憶部に記憶された前記所定情報を表示させる表示制御手段と、
をさらに備えることを特徴とする。
【０００８】
また、請求項４に記載の発明は、請求項３に記載のナビゲーション装置において、
前記所定情報はメニュー項目であることを特徴とする。
【０００９】
また、請求項５に記載の発明は、請求項１から請求項４のいずれか一項に記載のナビゲーション装置において、
前記操作部は前記表示部の辺の少なくとも１つに沿って長尺に形成され、
前記地図移動手段により前記表示部に表示された前記地図が移動する際に、前記操作部の押下位置によって、前記地図の移動速度を調節可能とする地図移動速度調節手段をさらに備えることを特徴とする。
【００１０】
また、請求項６に記載の発明は、請求項１から請求項５のいずれか一項に記載のナビゲーション装置において、
前記操作部は、前記装置本体部の表面に設けられたタクトスイッチであって、前記装置本体部の表面より窪んだ位置に配されていることを特徴とする。
【００１１】
また、請求項７に記載の発明は、請求項１から請求項６のいずれか一項に記載のナビゲーション装置において、
前記表示部の表面は、前記装置本体部の表面及び前記操作部の表面の少なくとも１つより窪んだ位置に配されていることを特徴とする。
【００１２】
また、請求項８に記載の発明は、
装置本体部に現在位置と地図とを重ねて表示する四角形状の表示部を備えるナビゲーション装置において、
前記表示部の辺に沿って各辺毎に配され、長尺に形成される操作部と、
前記操作部が押下された押下時間を計時する計時部と、
所定情報としてメニュー項目を記憶する記憶部と、
前記計時部により計時された前記押下時間が予め定められた時間に達しない場合に第１操作を選択し、前記計時部により計時された前記押下時間が予め定められた時間に達した場合に第２操作を選択する操作選択手段と、
前記第１操作又は前記第２操作された場合に、前記表示部に表示された前記地図を前記操作部と対向する辺と垂直な方向に移動させる地図移動手段と、
前記第１操作として前記地図移動手段を備えた場合に、前記第２操作として前記表示部に表示された前記地図とともに前記記憶部に記憶された前記所定情報を表示させ、前記第２操作として前記地図移動手段を備えた場合に、前記第１操作として前記表示部に表示された前記地図とともに前記記憶部に記憶された前記所定情報を表示させる表示制御手段と、
前記地図移動手段により前記表示部に表示された前記地図が移動する際に、前記操作部の押下位置によって、前記地図の移動速度を調節可能とする地図移動速度調節手段と、
を備え、
前記操作部は、前記装置本体部の表面に設けられたタクトスイッチであって、前記装置本体部の表面より窪んだ位置に配されているとともに、
前記表示部の表面は、前記装置本体部の表面及び前記操作部の表面の少なくとも１つより窪んだ位置に配されていることを特徴とする。
【発明の効果】
【００１３】
本発明によれば、表示部の縁部に操作部を設け、その操作部を押下することにより画面に表示された地図を指定方向に移動させることができる。また、１つの操作スイッチにより、複数の操作を行うことのできる機能を付加することができる。このため、操作部の構成を簡素化できるため利便性が向上し、かつ、装置の小型化が可能である。
【発明を実施するための最良の形態】
【００１４】
以下、本発明に係る実施形態について図を参照して説明する。但し、発明の範囲を図示例に限定するものではない。
【００１５】
図１は、本発明に係るナビゲーション装置１の外観図である。
ナビゲーション装置１は、例えば、ＧＰＳを利用して現在位置を測位し、その測位した現在位置を走行（歩行）案内表示などとともに表示画面上の地図に表示するものである。
また、このナビゲーション装置１は、車両に着脱可能に構成されていて、車両に搭載して使用することと、ユーザが携帯して使用することが可能なポータブル型のナビゲーション装置である。
【００１６】
図１に示すように、ナビゲーション装置１は、外形が左右方向に長尺な略直方体状に形成された装置本体部２を有している。装置本体部２前面中央には、長方形状の表示パネル（表示部）３が備えられている。表示パネル３の四方の縁部には、各辺ごとに辺に沿って長尺なタクトスイッチＳＷ１〜４からなる操作部４が配設されている。      
具体的には、図１に示すように、表示パネル３の左辺に沿ってタクトスイッチＳＷ１が設けられており、表示パネル３の右辺に沿ってタクトスイッチＳＷ２が設けられている。
また、表示パネル３の上辺に沿ってタクトスイッチＳＷ３が設けられており、表示パネル３の下辺に沿ってタクトスイッチＳＷ４が設けられている。
図２（ａ），（ｂ）に示すように、タクトスイッチＳＷ１〜４は、押圧片４１を備えており、押圧片４１が押下操作されると、その押下位置近辺の接点が導通し、オン信号が後述する制御部８に出力される。
【００１７】
図３は、図１におけるナビゲーション装置１の、Ｉ−Ｉ線における断面図である。
図３に示すように、タクトスイッチＳＷ１〜４の表面は、装置本体部２表面より窪んだ位置に配置されている。また、タクトスイッチＳＷ１〜４の表面は、表示パネル３表面より突出するように形成されている。
【００１８】
図４は、ナビゲーション装置１の機能的構成を示すブロック図である。
図４に示すように、ナビゲーション装置１は、表示パネル３と、操作部４と、計時部５と、ＧＰＳアンテナ６と、記憶部７と、制御部８と、等を備えており、各部はバス９によって接続されている。
【００１９】
表示パネル３は、例えば、ＬＣＤ（Liquid Crystal Display）等の各種表示機器であり、制御部８から入力される制御信号に従って、現在位置の周辺地図、車両の現在位置、目的地までの経路、その他の各種画面を表示する。
【００２０】
操作部４は、ユーザがメニュー項目の表示や地図移動等の各種操作を入力するためのものであり、前記したオン信号に基づき操作入力に応じた操作信号を制御部８に出力する。
【００２１】
計時部５は、操作部４が押下操作された際に、操作部４が押下されてからその押下が解除されるまでの所要時間（以下、押下時間（ｔ）という。）の計時を行い、その押下時間（ｔ）を制御部８に出力する。  
【００２２】
ＧＰＳアンテナ６は、制御部８から入力される制御信号に従って、ＧＰＳ衛星から送信されるＧＰＳ信号を受信して制御部８に出力する。
【００２３】
記憶部７は、例えば、ＲＡＭ（Random Access Memory）、ＲＯＭ（Read Only Memory）などの各種ＩＣメモリ等によって実現されるものであり、ナビゲーション装置１で実行可能なシステムプログラム、そのシステムプログラムで実行可能な各種処理プログラム、これら各種処理プログラムを実行する際に使用されるデータ、演算処理された処理結果のデータ、ユーザが所望する所定情報のデータ等を記憶する。なお、プログラムは、コンピュータが読み取り可能なプログラムコードの形で記憶部７に記憶されている。
【００２４】
具体的には、記憶部７は、例えば、地図情報データベース７１と、測位プログラム７２と、操作選択プログラム７３と、地図移動制御プログラム７４と、移動速度制御プログラム７５と、表示制御プログラム７６と、等を記憶している。
【００２５】
地図情報データベース７１は、所定の地域内（例えば、日本全土）を表現したカーナビゲーション用の道路地図などの地図情報を記憶する。
【００２６】
測位プログラム７２は、ＧＰＳアンテナ６から出力されたＧＰＳ信号に基づいて、ナビゲーション装置１が設置されている車両や、ナビゲーション装置１を所持するユーザの２次元的な現在位置（緯度、経度）を測位する機能を、制御部８に実現させるプログラムである。
【００２７】
操作選択プログラム７３は、計時部５で計時された押下時間（ｔ）に応じて、第１操作又は第２操作を選択する機能を制御部８に実現させるプログラムである。
すなわち、制御部８は、操作選択プログラム７３を実行することにより、操作部４の押下時間（ｔ）が予め定められた時間（以下、所定時間（Ｔ）という。）に達しているか否かを判断し、計時部５により計時された押下時間（ｔ）が所定時間（Ｔ）に達しない場合に第１操作を選択するとともに、計時部５により計時された押下時間（ｔ）が所定時間（Ｔ）に達した場合に第２操作を選択する操作選択手段として機能する。  
なお、この操作選択手段は、計時部５により計時された押下時間（ｔ）が所定時間（Ｔ）に達した場合に第１操作を選択し、計時部５により計時された押下時間（ｔ）が所定時間（Ｔ）に達しない場合に第２操作を選択するよう設定してもよい。
【００２８】
地図移動制御プログラム７４は、操作部４の押下時間（ｔ）が所定時間（Ｔ）に達していない場合、ユーザによる操作部４の操作により指定された方向に地図を移動させる機能を制御部８に実現させるプログラムである。
すなわち、制御部８は、地図移動制御プログラム７４を実行することにより、操作部４が所定時間（Ｔ）押下されない場合、第１操作として表示パネル３に表示された地図を指定方向に移動させる地図移動手段として機能する。
具体的には、図５から図８に示すように、タクトスイッチＳＷ１〜４のいずれかがユーザにより押下操作されると、表示パネル３に表示された地図は、その押下されたスイッチと対向する辺と垂直な方向に向けて上下左右いずれかの方向に移動する。  
【００２９】
移動速度制御プログラム７５は、表示パネル３に表示された地図を上下左右いずれかの方向に移動させる際に、操作部４のユーザの押下位置に応じて地図の移動速度を変化させる機能を制御部８に実現させる。
すなわち、制御部８は、移動速度制御プログラム７５を実行することにより、操作部４が所定時間（Ｔ）押下されない場合、操作部４が押下操作された際に出力されたオン信号の検出とともに当該操作部４のユーザにより押下された位置を判断し、この押下位置に応じて地図の移動速度を調節可能とする移動速度調節手段として機能する。
具体的には、図５及び図６に示すように、タクトスイッチＳＷ１，ＳＷ２の押下位置が、例えば、上部にいくほど地図の移動速度を速くさせる。
また、図７及び図８に示すように、タクトスイッチＳＷ３，ＳＷ４の押下位置が、例えば、左端にいくほど地図の移動速度を速くさせる。
【００３０】
表示制御プログラム７６は、操作部４の押下時間（ｔ）が所定時間（Ｔ）に達している場合、例えば、メニュー項目Ａなどのユーザが所望する所定情報を地図とともに表示パネル３に表示させる機能を制御部８に実現させる。
すなわち、制御部８は、表示制御プログラム７６を実行することにより、操作部４の押下時間（ｔ）が所定時間（Ｔ）に達している場合、第２操作として表示パネル３にメニュー項目Ａを表示させるメニュー表示制御手段として機能する。
【００３１】
制御部８は、例えば、ＣＰＵ（Central Processing Unit）等のハードウェアによって実現される。この制御部８は、操作部４から入力される操作信号及び記憶部７に記憶された各種処理プログラムに従ってナビゲーション装置１全体の動作を統括的に制御する。
【００３２】
例えば、制御部８は、操作部４が押下操作された際に、記憶部７に格納されている前記した処理プログラムに従って、計時部５に押下時間を計時させ、当該押下時間（ｔ）に応じて第１操作と第２操作とのいずれの処理を行うかの選択を行う。
そして、計時された押下時間（ｔ）が、所定時間（Ｔ）に満たない場合、第１操作として、表示パネル３に表示された地図を上下左右のいずれかに移動させる。さらに、地図を上下左右のいずれかに移動させる際には、ユーザの操作部４の押下位置に応じて、地図の移動速度を制御する。  
一方、計時された押下時間（ｔ）が、所定時間（Ｔ）に達した場合、第２操作として、表示パネル３にメニュー項目Ａを表示させる。  
【００３３】
次に、ナビゲーション装置１の画面表示処理について、図９に示すフローチャートを用いて説明する。
【００３４】
まず、操作部４の押下操作が行われた場合（ステップＳ１）、計時部５は押下時間（ｔ）の計時を行う（ステップＳ２）。
制御部８は、計時部５によって計時された押下時間（ｔ）が、所定時間（Ｔ）に達したか否か判断し（ステップＳ３）、後続の処理として第１操作と第２操作とのいずれを行うか選択する。
そして、所定時間（Ｔ）が経過しても操作部４が押下されていた場合（ステップＳ３：Ｙｅｓ）は、表示パネル３にメニュー項目の表示を行う（ステップＳ４）。
【００３５】
一方、所定時間（Ｔ）内に操作部４の押下が解除された場合（ステップＳ３：Ｎｏ）は、制御部８はタクトスイッチＳＷ１〜４のうちいずれであるか判断し、その押下されたスイッチと対向する辺に向けて、上下左右いずれかの方向に地図の移動方向を決定する（ステップＳ５）。また、ユーザが押下した操作部４の押下位置に応じて、地図の移動速度を決定する（ステップＳ６）。
次いで、図５から図８に示すように、地図を移動させ（ステップＳ７）、処理を終了する。
【００３６】
なお、本実施形態においては、前記したように、所定時間（Ｔ）が経過しても操作部４が押下されていた場合には表示パネル３にメニュー項目が表示され（第２操作）、所定時間（Ｔ）内に操作部４の押下が解除された場合には地図が移動される（第１操作）こととして説明したが、所定時間（Ｔ）が経過しても操作部４が押下されていた場合に地図が移動され、所定時間（Ｔ）内に操作部４の押下が解除された場合に表示パネル３にメニュー項目が表示されるように設定することができるのは勿論である。
【００３７】
このとき、タクトスイッチＳＷ１〜４は、図２（ａ），（ｂ）に示すように、ユーザによりその押圧片４１を押下操作されることにより、表示パネル３に表示される地図を上下左右に移動可能とする（第１操作）。  
具体的には、例えば、図５に示すように、タクトスイッチＳＷ１は、表示パネル３に表示された地図を右方向に移動させる。また、図６に示すように、タクトスイッチＳＷ２は、表示パネル３に表示された地図を左方向に移動させる。また、図７に示すように、タクトスイッチＳＷ３は、表示パネル３に表示された地図を下方向に移動させる。また、図８に示すように、タクトスイッチＳＷ４は、表示パネル３に表示された地図を上方向に移動させる。
また、タクトスイッチＳＷ１〜４は、ユーザにより予め定められた時間（Ｔ）以上長く押下操作されることにより、表示パネル３にメニュー項目Ａを表示させる（第２操作）。
すなわち、タクトスイッチＳＷ１〜４は、１つのスイッチでありながらその押下時間（ｔ）に応じて異なる処理を実行させる。
【００３８】
さらに、地図を移動させる際には、長尺なタクトスイッチＳＷ１〜４におけるユーザの押下位置に応じて地図移動速度が調整可能である。
具体的には、例えば、図５及び図６に示すように、タクトスイッチＳＷ１の押下位置が上部にいくほど地図移動速度が速くなり、押下位置が下部にいくほど地図移動速度が遅くなる。また、図７及び図８に示すように、タクトスイッチＳＷ１の押下位置が左端にいくほど地図移動速度が速くなり、押下位置が右端にいくほど地図移動速度が遅くなる。
【００３９】
以上のように、本発明のナビゲーション装置１によれば、表示パネル３の四方の縁部に沿って操作部４が設けられており、表示パネル３に表示された地図の所望箇所に近い部分の操作部４を押下することで、当該所望箇所が表示パネル３の中心方向に移動させることができる。
したがって、地図の四方において、直感的に地図を移動させることができ、より利便性を良好にし、ユーザの要求により合致した情報を表示することが可能である。
また、表示パネル３の四方の縁部全体がタクトスイッチＳＷ１〜４であるため、ユーザの手指のサイズによらず、より操作性を良好にすることができる。  
また、タクトスイッチＳＷ１〜４の押下位置によって地図の移動速度が変化するため、より操作性を良好にすることができる。
したがって、地図の四方において、より利便性を良好にし、ユーザの要求により合致した情報を表示することが可能である。
【００４０】
また、タクトスイッチＳＷ１〜４の押下時間（ｔ）に応じて操作が実行されるため、異なる２つの操作を１つのタクトスイッチで実行することができる。
したがって、部品点数を少なく、かつ、操作部の実装面積を小さくでき、装置全体を小型化することが可能である。
また、操作部の構成を簡素にすることができるため、デザイン性を良好にすることが可能である。
【００４１】
また、タクトスイッチＳＷ１〜４の表面は、装置本体部２表面より窪む位置に形成されているため、その凹凸から押下操作を行い易く、さらに、タクトスイッチＳＷ１〜４の表面よりも突出した面があることにより、例えば、ナビゲーション装置１が落下した際などに、誤った押下操作を防止することが可能である。
【００４２】
また、表示部パネル３の表面は、装置本体部２の表面及びタクトスイッチＳＷ１〜４の表面の少なくとも１つより窪んだ位置に配置されているため、その凹凸から押下操作が行い易い。さらに、表示部パネル３の表面よりも突出した面があることにより、例えば、ナビゲーション装置１が落下した際などに、表示パネル３が直接地面に接地することがなく、表示部パネル３を保護することが可能である。
【００４３】
なお、本実施形態においては、第２操作は表示パネル３にメニュー項目Ａを表示させる操作であるとして説明したが、第２操作としてはこれに限定されるものではなく、例えば、音声ガイダンスを開始する等の別の操作が実行されるよう設定することも可能である。
また、所定時間（Ｔ）を複数段階設定して、操作部４の押下時間（ｔ）に応じて異なる操作を行うように設定することもできる。
また、タクトスイッチＳＷ１〜４毎に、異なる第２操作を実行するよう設定することも可能である。
【００４４】
なお、図１０（ａ）に示すように、タクトスイッチＳＷ１〜４の表面を、表示パネル３表面及び装置本体部２表面より突出させるように形成してもよい。
このようにすることで、例えば、ナビゲーション装置１が落下した際などに、タクトスイッチＳＷ１〜４は緩衝部材として作用し、衝撃をやわらげるとともに表示パネル３を保護することができる。
【００４５】
また、本実施形態においては、操作部４をタクトスイッチＳＷ１〜４として説明したが、この他、例えば、タッチパネル等を用いることも可能である。
この場合、例えば、図１０（ｂ）に示すように、タッチパネルＴの表面を、表示パネル３表面及び装置本体部２表面と面一となるように形成することができる。
このようにすることで、ナビゲーション装置１全体が均一な厚さとすることができ、ナビゲーション装置１の全体強度を向上させることができる。
また、タッチパネル操作においては、タクトスイッチＳＷ１〜４と比較して押圧力が弱いため壊れづらいという利点がある。
【００４６】
その他、本発明が上記実施の形態に限らず適宜変更可能であるのは勿論である。
【図面の簡単な説明】
【００４７】
【図１】本発明に係るナビゲーション装置を示す正面図である。
【図２】（ａ）はタクトスイッチのオフ状態を示す断面図であり、（ｂ）はオン状態を示す断面図である。
【図３】図１のナビゲーション装置のＩ−Ｉ線における断面図である。
【図４】図１に示すナビゲーション装置の機能的構成を示すブロック図である。
【図５】地図を右方向に移動させた例を示すための図である。
【図６】地図を左方向に移動させた例を示すための図である。
【図７】地図を上方向に移動させた例を示すための図である。
【図８】地図を下方向に移動させた例を示すための図である。
【図９】ナビゲーション装置の処理を示すフローチャートである。
【図１０】（ａ）及び（ｂ）は、図３に示す断面図の変形例を示すための図である。
【符号の説明】
【００４８】
１  ナビゲーション装置
２  装置本体部
３  表示パネル（表示部）
４  操作部
４１  押圧片
ＳＷ１〜４  タクトスイッチ
５  計時部
６  ＧＰＳアンテナ
７  記憶部
７１  地図情報データベース
７２  測位プログラム
７３  操作選択プログラム
７４  地図移動制御プログラム
７５  移動速度制御プログラム
７６  表示制御プログラム
８  制御部
９  バス
【図１】
2009042102.tif 000003
【図２】
2009042102.tif 000004
【図３】
2009042102.tif 000005
【図４】
2009042102.tif 000006
【図５】
2009042102.tif 000007
【図６】
2009042102.tif 000008
【図７】
2009042102.tif 000009
【図８】
2009042102.tif 000010
【図９】
2009042102.tif 000011
【図１０】
2009042102.tif 000012